(57)【要約】  【課題】巻芯を確実に保持し、あらかじめ調整したブレーキトルクによってラミネートフィルムはテンションのかかった状態で解反される安価な巻芯支持部材を有するラミネート装置を提供する。  【解決手段】軸に対して取り付けられたベースに回転自在に巻芯支持部材を設け、この巻芯支持部材の円周面に平面部を形成し、上記平面部に弾性変形可能な弾性体を円弧状に曲げた状態で、円周面に対する平面部の境界線付近に弾性体の上記円弧の一部が位置するように固定して巻芯支持構造を具備させる。【選択図】    図１
2006088548.tif 000002
【特許請求の範囲】
【請求項１】
ポスターや広告などの印刷物、コンピュータの出力メディアなどの表面に、ラミネートフィルムを貼り付けて積層体を形成するラミネート装置において、フィルム類の原反の巻芯を支持する複数の円筒状の巻芯支持部材を軸に対して設け、上記巻芯支持部材は円周面に平面部を形成し、この平面部に弾性変形可能な弾性体を円弧状に曲げた状態で、円周面に対する平面部の境界線付近に弾性体の上記円弧の一部が位置するように固定して巻芯支持構造を具備したことを特徴とするラミネート装置。
【請求項２】
平面部の中央付近に弾性体を固定する固定部材を取り付けて、円周面に対する平面部の２つの境界線のうち少なくとも片方の境界線付近へ円弧状の弾性体を固定したことを特徴とする請求項１記載のラミネート装置。
【請求項３】
巻芯支持部材が軸に対して回転自在に設けられ、巻芯支持部材の回転に対してブレーキトルクをかける手段が軸に固定されて設けられていることを特徴とする請求項１、請求項２記載のラミネート装置。
【発明の詳細な説明】
【技術分野】
【０００１】
本発明は、ポスターや広告などの印刷物、コンピュータの出力メディアなど（以下、メディアという）の表面に、片面に粘着剤を塗布した透明または半透明なラミネートフィルムを貼り付けて、印刷物の表面を保護することにより、メディアの耐水性、耐候性を向上させる積層体の形成に使用するラミネート装置の巻芯支持構造に関するものである。
【背景技術】
【０００２】
ラミネートフィルム原反は、ポリエステルや塩化ビニルなどの透明または半透明なフィルムの一面に粘着剤を塗布し、この粘着面の表面に剥離紙を貼り合わせられた長尺の積層体を巻芯（紙管）に巻いたものである。
このようなラミネートフィルムをメディアの表面に密着させて被覆する従来のラミネート装置は、下記特許文献１の図５に示されている。そして、このようなラミネート装置においては、ラミネートフィルムにテンションがかかった状態で引き出すために、ラミネートフィルムの原反にブレーキトルクがかけられる構造を有しており、このブレーキトルクは任意に調整できるようになっているものが知られている。
【０００３】
【特許文献１】特開２００２−２５４５１８号公報
【発明の開示】
【発明が解決しようとする課題】
【０００４】
特許文献１に示されるような巻芯支持部材は、巻芯を確実に保持し、あらかじめ調整したブレーキトルクによってラミネートフィルムはテンションのかかった状態で解反されるものの、軸に対して窪みを形成する加工や、可撓性を有するチューブのコストが高いために高価な構造となってしまっていた。そのため、より安価な巻芯支持部材の開発が望まれていた。
【課題を解決するための手段】
【０００５】
上記課題を解決するための本発明の請求項１は、ポスターや広告などの印刷物、コンピュータの出力メディアなどの表面に、ラミネートフィルムを貼り付けて積層体を形成するラミネート装置において、フィルム類の原反の巻芯を支持する複数の円筒状の巻芯支持部材を軸に対して設け、上記巻芯支持部材は円周面に平面部を形成し、この平面部に弾性変形可能な弾性体を円弧状に曲げた状態で、円周面に対する平面部の境界線付近に弾性体の上記円弧の一部が位置するように固定して巻芯支持構造を具備したことを特徴とするラミネート装置としている。
【０００６】
本発明により、軸に対して複数設けた巻芯支持部材という構成にすることができ、その巻芯支持部材の円周面に平面部を形成し、弾性体を円弧状に曲げた状態で、円周面に対する平面部の境界線付近に弾性体の上記円弧の一部が位置するように固定するという簡易な構造で巻芯の保持が可能となり、安価な巻芯支持部材の提供ができる。
【０００７】
本発明の請求項２は、平面部の中央付近に弾性体を固定する固定部材を取り付けて、円周面に対する平面部の２つの境界線のうち少なくとも片方の境界線付近へ円弧状の弾性体を固定したことを特徴とする請求項１記載のラミネート装置としている。
【０００８】
本発明により、平面部の中央付近に設置した固定部材の両側へ円周面に対する平面部の境界線の一方、あるいは両方へ弾性体を固定することができ、簡易な構造で巻芯支持構造を提供できる。境界線の一方への弾性体の固定の場合は、ラミネートフィルムの巻芯の解反方向に気をつけて巻芯をセットすればよく、境界線の両方へ弾性体をセットした場合には上記の解反方向に特に注意を払うことなく巻芯をセットすることが可能となる。
【０００９】
本発明の請求項３は、巻芯支持部材が軸に対して回転自在に設けられ、巻芯支持部材の回転に対してブレーキトルクをかける手段が軸に固定されて設けられていることを特徴とする請求項１、請求項２記載のラミネート装置としている。
【００１０】
本発明により、所定のブレーキトルクをかけた状態で、巻芯支持部材とともに巻芯が軸に対して回転する巻芯支持構造の提供が可能となる。
【発明の効果】
【００１１】
本発明により、巻芯支持部材の平面部に設けた弾性体により巻芯を安価で保持することができ、この巻芯支持部材が軸に対して回転可能となることで巻芯とともに回転し、かつ所望のブレーキトルクをかけた状態で解反できる巻芯支持構造を有するラミネート装置の提供が可能となる。
【発明を実施するための最良の形態】
【００１２】
本発明の実施の形態を図１に示す。ラミネートフィルムＡのロール原反の巻芯Ｂは軸３に取り付けられた第１巻芯支持部１と２つの第２巻芯支持部により保持されている。そしてラミネートフィルムＡのロールを保持した軸３はラミネート装置（図示せず）のフレーム５（図２参照）に設けられた２つの軸受ベアリング４にそれぞれの端部を乗せてラミネート装置にセットされる。
【００１３】
図２に第１巻芯支持部１の構成を示す。ラミネート装置のフレーム５に設けられた軸受ベアリング４に支持された軸３に対してベース１０が固定ネジ１１で固定されている。このベース１０の右側端部は、巻芯支持部材１２が軸方向へのズレを防ぐストッパー１０ａを構成している。巻芯支持部材１２はベース１０に対して回転自在に取り付けられており、軸端側はラミネートフィルムのロール端部を保持できるつば１２ａが設けられている。巻芯支持部材１２の円筒周面の一部に平面部を設け、そこに弾性変形体１３を設けている。この巻芯支持部材１２の構造については後で詳述する。
【００１４】
図２に示すようにつば１２ａと圧力調整部材１５には窪みを設けここにプレート１４をそれぞれ配置し、このプレート１４、１４間に圧縮バネ１６を適宜複数個配置させている。圧力調整部材１５は、ベース１０に設けられたネジ部１０ｂにかみ合う雌ねじ部１５ａを有し圧力調整部材１５を回転させることによりベース１０に対する位置を調整することにより圧縮バネ１６を圧縮し、巻芯支持部材１２に対する押付け力を調整できる構成としている。
【００１５】
そして、固定ネジ１１より軸端側にはストッパー１７が設けられており、このストッパー１７がラミネート装置のフレーム５に設けられたピン６に係止されてラミネートフィルムＡが解反される際には軸３が回転しないように固定される。
【００１６】
第２巻芯支持部２は、図２および図３に示すように、軸３に対してネジ２６で位置決めできるベース２４に巻芯支持部材２３が回転自在な状態で設けられている。ベース２４の一端には巻芯支持部材２３のストッパー２４ａが形成され、もう一端にはナット２５を取り付けるネジ部２４ｂが形成されている。巻芯支持部材２３は、ストッパー２４ａとナット２５により軸方向への移動が規制されるのである。
【００１７】
巻芯支持部材２３は、円筒状の周面の一部に平面部２０が設けられ、この平面部２０に固定部材２１で弾性変形体２２を固定している。この弾性変形体２２は素材としては、繰り返しの変形に対する耐久性が強く、破断等のしにくい弾性体で硬度がＨｓ８０〜Ｈｓ９５程度の断面が円形の紐状体であるものが耐久性や変形の際の硬さの点から好適である。
【００１８】
図３においては、平面部２０の端付近に弾性変形体２２の円弧状の頂点が到達する程度の円弧となるように固定部材２１の左上側と右下側にそれぞれ配置している。もちろんこの弾性変形体２２は左上側と右下側のいずれか一方のみとする実施形態も採用可能である。第１巻芯支持部の巻芯支持部材１２はつば１２ａを除けば形状的には巻芯支持部材２３と同様である。
【００１９】
弾性変形体２２は図４に示すように所定の直径となる円形状のものを使用したり、図５に示すように１本の紐状の弾性変形体２２の端部を巻芯支持部材２３の中へ入れ込むことができるような穴２３ａを設けて、弾性変形体２２の形状を平面部２０の大きさに合うように調整して固定部材２１で固定するようにしてもよい。固定部材２１には弾性変形体２２の断面形状よりも若干小さな溝部を設けており、その溝部において強固に固定されるようにしている。
【００２０】
次に、巻芯支持部材１２および巻芯支持部材２３で巻芯を保持する状態について説明するが、同様の保持の仕方となるため、巻芯支持部材２３にて説明する。図６（ａ）から図６（ｄ）に巻芯支持部材２３の平面部２０を上から見た状態の図と、側面から見た状態の図をそれぞれ示す。図６（ａ）はまだ巻芯Ｂがセットされていない状態であり、弾性変形体２２の円弧状の頂点が平面部２０の端部付近に位置している。図６（ｂ）は巻芯支持部材２３が巻芯Ｂ内へ挿入されている状態を示している。巻芯Ｂの内側面に弾性変形体２２の円弧状の頂点が接触してはいるが、巻芯Ｂの内側面に押されて弾性変形体２２の円弧がたわんで巻芯Ｂをスムーズにスライドさせることができる。巻芯Ｂは図１における軸３の右端側からセットされ、第１巻芯支持部１の巻芯支持部材１２のつば１２ａに当接する位置までスライドさせておく。
【００２１】
そして、つば１２ａに当接する位置までスライドさせて、軸３をラミネート装置にセットし、図６（ｃ）に示すようにラミネートフィルムＡを引き出すと、巻芯支持部材２３に対して巻芯Ｂがスリップして回転するのであるが、このときに、弾性変形体２２の円弧状の先端が巻芯Ｂと巻芯支持部材２３の隙間に変形しながら噛み込まれる。固定部材２１の上側の弾性変形体２２は巻芯Ｂの回転に合わせて固定部材２１側へ円弧が少したわむ状態となる。この噛み込みによって巻芯Ｂが巻芯支持部材２３に回転方向に対して自由に回転しないように一体的に保持されることとなる。  図６（ｃ）では実線で示したラミネートフィルムＡの引き出しにより、固定部材２１の下側の弾性変形体２２が噛み込まれるが、一点鎖線で示したような巻きとなっているラミネートフィルムもある。一点鎖線のような巻きである場合は、固定部材２１の上側に位置する弾性変形体２２が噛み込まれることとなるのである。すなわち、固定部材２１の両側に弾性変形体２２を配置しておくとラミネートフィルムＡの巻きに関係なく巻芯Ｂの保持ができることとなるのである。
【００２２】
図６（ｄ）は巻芯Ｂを外すために保持を解除する状態を示している。図６（ｃ）で弾性変形体２２を噛み込ませる際と逆方向に巻芯Ｂを少し回転させると、噛み込まれていた弾性変形体２２の噛み込みが解除される。解除されれば、巻芯Ｂをスライドして軸３から外すのである。
【００２３】
巻芯Ｂは第１巻芯支持部１の巻芯支持部材１２と２つの第２巻芯支持部２の巻芯支持部材２３、２３で支持されることになる。そしてそれら巻芯支持部材１２および巻芯支持部材２３、２３はベース１０およびベース２４、２４を介して軸３に対して回転する状態となっている。ラミネートフィルムＡが巻芯から解反されるときは軸３に対して巻芯支持部材１２、２３、２３と巻芯Ｂとが一体となって回転して解反されるが、このとき圧力調整部材１５によって調整された圧縮バネ１６の力を受けて所望のブレーキトルクがかかった状態で解反されることとなる。
【００２４】
上記では巻芯支持部材２３に対して弾性変形体２２を設ける平面部２０は１つの形態を開示したが、図７に示すように弾性変形体２２を設ける平面部２０を２つ設けてもよい。また、巻芯支持部材１２に対しても同様である。弾性変形体２２を増加させると解反に力を有するラミネートフィルムＡであっても確実に保持することができるようになる。
【図面の簡単な説明】
【００２５】
【図１】本発明の巻芯支持構造を説明する斜視図。
【図２】図１における構造を説明する断面図。
【図３】巻芯支持部材を説明する斜視図。
【図４】弾性変形体の取付状態を説明する図。
【図５】弾性変形体の取付状態を説明する図。
【図６】巻芯を保持する状態を説明する図。
【図７】弾性変形体の取付する平面部を２カ所設けたことを説明する図。
【符号の説明】
【００２６】
１    第１巻芯支持部
２    第２巻芯支持部
３    軸
４    軸受ベアリング
５    フレーム
６    ピン
１０    ベース
１０ａ  ストッパー
１１    固定ネジ
１２    巻芯支持部材
１２ａ  つば  
１３    弾性変形体
１４    プレート
１５    圧力調整部材
１６    圧縮バネ
１７    ストッパー
２０    平面部
２１    固定部材
２２    弾性変形体
２３    巻芯支持部材
２３ａ  穴
２４    ベース
２４ａ  ストッパー
２４ｂ  ネジ部
２５    ナット
２６    ネジ
【図１】
2006088548.tif 000003
【図２】
2006088548.tif 000004
【図３】
2006088548.tif 000005
【図４】
2006088548.tif 000006
【図５】
2006088548.tif 000007
【図６】
2006088548.tif 000008
【図７】
2006088548.tif 000009